(57)【特許請求の範囲】
【請求項１】
端末を通じた入力された画像に含まれるオブジェクトの収集をサポートする方法であって：
（ａ）端末の画面上に、あるオブジェクトを含む画像を入力する際に、オブジェクトを含む入力された画像をすでに記憶されている参照オブジェクト画像と照合することによって類似性の度合いを計算し、類似性の度合いの事前設定された閾値を超える特定の参照オブジェクト画像の識別子を参照することによってオブジェクトの素性を認識するために使われるオブジェクト認識技術、オブジェクトに含まれる文字、数字および記号のうちからの少なくとも一つを認識することによってオブジェクトの素性を認識する光学式文字認識技術およびオブジェクトに含まれるバーコードからオブジェクトの素性を認識するバーコード認識技術のうちの少なくとも一つが、オブジェクトの素性を認識するために使われる、段階と、
（ｂ）前記オブジェクトの素性についての認識情報、入力された画像が生成された場所についての認識情報および入力された画像が生成された時間についての認識情報を使って、適用可能な言語の文法のもとで正しく組み合わされた句または文を含む自動コメントの情報および認識されたオブジェクトに関する前記画像の情報を含む収集ページを得る段階と、
（ｃ）収集ページを登録する要求を受領した際、収集ページが各ユーザー毎に記憶される段階と、
（ｄ）事前設定された閾値回数を超える回数、前記オブジェクトがユーザーによって収集された場合、ユーザーが前記オブジェクトに関して指定された行動を実行したらユーザーに報酬が提供されるという情報がユーザーに与えられる段階とを含む、
方法。
【請求項２】
前記段階（ｄ）において、前記オブジェクトに関して指定された行動を実行することは、ユーザーに対して追加的に要求される、前記オブジェクトの収集回数を達成することを含む、請求項１記載の方法。
【請求項３】
前記報酬が、前記オブジェクトをサービスするまたは販売する会社によって発行されるクーポンについての情報を含む、請求項１記載の方法。
【請求項４】
前記段階（ｂ）において、前記オブジェクトの前記画像が入力された画像から直接得られるまたは入力された画像に含まれるオブジェクトと参照オブジェクト画像との間の画像照合を通じて取得された、事前設定された類似性の度合いの閾値以上に対応する参照オブジェクト画像から間接的に得られる、請求項１記載の方法。
【請求項５】
前記オブジェクトの前記画像がサムネイルの形で取得される、請求項４記載の方法。
【請求項６】
前記収集ページが、端末のユーザー毎に管理されうるよう記憶される、請求項１記載の方法。
【請求項７】
段階（ｃ）において、仮想スペースが、ユーザーに応じて収集ページが管理されうるよう割り当てられる、請求項６記載の方法。
【請求項８】
端末を通じた入力された画像に含まれるオブジェクトの収集をサポートする端末であって：
端末の画面上に、あるオブジェクトを含む画像を入力する際に、オブジェクトを含む入力された画像をすでに記憶されている参照オブジェクト画像と照合することによって類似性の度合いを計算し、類似性の度合いの事前設定された閾値を超える特定の参照オブジェクト画像の識別子を参照することによってオブジェクトの素性を認識するために使われるオブジェクト認識技術、オブジェクトに含まれる文字、数字および記号のうちからの少なくとも一つを認識することによってオブジェクトの素性を認識する光学式文字認識（OCR）技術およびオブジェクトに含まれるバーコードからオブジェクトの素性を認識するバーコード認識技術のうちの少なくとも一つを使って、オブジェクトの素性を認識するオブジェクト認識部と；
前記オブジェクトの素性についての認識情報、入力された画像が生成された場所についての認識情報および入力された画像が生成された時間についての認識情報のうちの少なくとも一つを使って、適用可能な言語の文法のもとで正しく組み合わされた句または文を含む自動コメントの情報および認識されたオブジェクトに関する前記画像の情報を含む収集ページを得て、該収集ページを登録する要求を受領した際、ユーザーの収集ページが記憶されることを許容する収集実行部と；
事前設定された閾値回数を超える回数、前記オブジェクトがユーザーによって収集された場合、ユーザーが前記オブジェクトに関して指定された行動を実行したらユーザーに報酬が提供されるという情報を与える探求管理部とを有する、
端末。
【請求項９】
事前設定された閾値回数を超える回数、前記オブジェクトがユーザーによって収集された場合、前記オブジェクトに関して実行されうるミッションについての情報および該ミッションを実行したらユーザーに提供される報酬についての情報をユーザーに提供する探求管理部をさらに有する、請求項８記載の端末。
【請求項１０】
ユーザーに対して追加的に要求される、前記オブジェクトについての収集回数が達成されたら、前記探求管理部が、ユーザーに報酬が与えられるという情報をユーザーに与える、請求項８記載の端末。
【請求項１１】
前記探求管理部がユーザーに、前記オブジェクトをサービスするまたは販売する会社によって発行されるクーポンについての情報を含む前記報酬についての情報を提供する、請求項８記載の端末。
【請求項１２】
前記収集実行部が、前記オブジェクトの前記画像を、入力された画像から直接得るまたは入力された画像に含まれるオブジェクトと参照オブジェクト画像との間の画像照合を通じて取得された、事前設定された類似性の度合いの閾値以上に対応する参照オブジェクト画像から間接的に得る、請求項８記載の端末。
【請求項１３】
前記収集実行部が、前記オブジェクトの前記画像をサムネイルの形で取得する、請求項１２記載の端末。
【請求項１４】
前記収集ページが、当該端末のユーザー毎に管理されうるよう記憶される、請求項８記載の端末。
【請求項１５】
前記収集実行部が、仮想スペースを、ユーザーに応じて収集ページが管理されうるよう割り当てる、請求項１４記載の端末。
【請求項１６】
請求項１ないし７のうちいずれか一項記載の方法を実行するためのコンピュータ・プログラムが記録されているコンピュータ可読記録媒体。
【発明の詳細な説明】
【技術分野】
【０００１】
本発明は、端末を介して入力された画像中に含まれるオブジェクトの収集をサポートするための方法、端末およびコンピュータ可読記録媒体に関する。より詳細には、本発明は、オブジェクト認識技術、光学式文字認識（OCR）技術およびバーコード認識技術のうちの少なくとも一つが入力された画像中に含まれるオブジェクトの素性を認識するために使われ、前記オブジェクトの素性についての認識情報、前記画像が生成された場所についての認識情報および前記画像が生成された時間についての認識情報のうちの少なくとも一つを使って、適用可能な言語の文法に従うよう組み合わされた文、あるいは換言すれば自動コメントの情報および認識されたオブジェクトの画像の情報を含む収集ページを得て、収集ページを登録する要求が受領されたときに収集ページが記憶され、それにより、ユーザーは、関心のあるオブジェクトについての情報を迅速かつ便利に収集でき、ユーザーのまわりにある数多くのオブジェクトについてのさまざまな情報を一つずつ編集するという不便さなしに上記に関係したさまざまなサービスを提供されうる、方法、端末およびコンピュータ可読記録媒体に関する。
【背景技術】
【０００２】
近年、インターネットの広範な使用のため、かつて書籍のような印刷の形で提供された情報をデジタル形式に変換したものを提供することが一般的な慣行となった。デジタル・データに変換された情報は、インターネットおよび3Gネットワークもしくは他の高速通信システムのおかげで、多くのユーザーによってリアルタイムで共有され、送達されうるので、情報共有および送達を比較的欠いている印刷素材に比べて、広く使用される。
【０００３】
特に、ユーザーの端末によってリアルタイムで撮影された入力画像上に組み合わされたコンピュータ・グラフィック（CG）、テキストなどを含む補足情報を表示する拡張現実感（AR:  augmented  reality）のための方法において、いくつかの情報形を提供する技術が最近導入された。AR技術によれば、該技術は、ユーザーが見る現実世界が表示される画面上で視覚的に互いに重なっていてもよい必要とされる情報を含むさまざまなアイコンを提供しうるので、ユーザーにとってのよりよい環境を提供しうる。
【０００４】
ARを使っていくつかの情報源が提供され、共有されるとき、実際には、ユーザーの端末によって撮影されたまたは入力された画像上に含まれるすべてのオブジェクトについての情報を判別し、該情報を効果的に記憶することは難しい。たとえユーザーが比較的関心の高い（または重要性の高い）オブジェクトについての情報だけを異なる仕方で記憶したいとしても、該情報を系統的に記録し、記憶することは複雑でわずらわしい。したがって、ユーザーからのより積極的な参加を引き出すにはある程度の限界があることが確かである。
【先行技術文献】
【特許文献】
【０００５】
【特許文献１】韓国特許出願第2006-0078850号
【特許文献２】韓国特許登録第0791704号
【非特許文献】
【０００６】
【非特許文献１】K.  MIKOLAJCZYK  et  al.,  "A  Comparison  of  Affine  Region  Detectors",  International  Journal  of  Computer  Vision,  November  2005
【発明の概要】
【発明が解決しようとする課題】
【０００７】
上記の問題のすべてを解決することが本発明の目的である。
【０００８】
入力画像に含まれる、素性、位置および時間を含む情報を使うことによってオブジェクトについての自動コメントおよびオブジェクトに対応する画像についての情報を取得して、収集ページを構成し、該収集ページが、その登録要求の際に系統的に記憶されることを許容することが本発明のもう一つの目的である。それにより、ユーザーは、ユーザーのまわりの多数のオブジェクトについてのさまざまな情報を簡単に記憶しうる。
【０００９】
あるオブジェクトについて収集された情報に基づいて、該当オブジェクトに関して実行されうるミッションについての情報および該ミッションが実行されるときに提供される報酬についての情報を提供することによって、ユーザーの参加したいという希望を促すことができるようにすることが本発明のさらにもう一つの目的である。
【課題を解決するための手段】
【００１０】
上記目的を達成するよう意図された本発明の代表的な構成が以下に記載される。
【００１１】
本発明のある側面によれば、端末を通じた入力された画像に含まれるオブジェクトの収集をサポートする方法であって、（ａ）端末の画面上に、あるオブジェクトを含む画像を入力する際に、オブジェクトを含む入力された画像をすでに記憶されている参照オブジェクト画像と照合することによって類似性の度合いを計算し、類似性の度合いの事前設定された閾値を超える特定の参照オブジェクト画像の識別子を参照することによってオブジェクトの素性を認識するために使われるオブジェクト認識技術、オブジェクトに含まれる文字、数字および記号のうちからの少なくとも一つを認識することによってオブジェクトの素性を認識する光学式文字認識（OCR）技術およびオブジェクトに含まれるバーコードからオブジェクトの素性を認識するバーコード認識技術のうちの少なくとも一つが、オブジェクトの素性を認識するために使われる、段階と、（ｂ）前記オブジェクトの素性についての認識情報、入力された画像が生成された場所についての認識情報および入力された画像が生成された時間についての認識情報を使って、適用可能な言語の文法のもとで正しく組み合わされた句または文を含む自動コメントの情報および認識されたオブジェクトに関する前記画像の情報を含む収集ページを得る段階と、（ｃ）収集ページを登録する要求を受領した際、収集ページが各ユーザー毎に記憶される段階とを含む、方法が提供される。
【００１２】
本発明のもう一つの側面によれば、端末を通じた入力された画像に含まれるオブジェクトの収集をサポートする端末であって、端末の画面上に、あるオブジェクトを含む画像を入力する際に、オブジェクトを含む入力された画像をすでに記憶されている参照オブジェクト画像と照合することによって類似性の度合いを計算し、類似性の度合いの事前設定された閾値を超える特定の参照オブジェクト画像の識別子を参照することによってオブジェクトの素性を認識するために使われるオブジェクト認識技術、オブジェクトに含まれる文字、数字および記号のうちからの少なくとも一つを認識することによってオブジェクトの素性を認識する光学式文字認識（OCR）技術およびオブジェクトに含まれるバーコードからオブジェクトの素性を認識するバーコード認識技術のうちの少なくとも一つを使って、オブジェクトの素性を認識するオブジェクト認識部と；前記オブジェクトの素性についての認識情報、入力された画像が生成された場所についての認識情報および入力された画像が生成された時間についての認識情報のうちの少なくとも一つを使って、適用可能な言語の文法のもとで正しく組み合わされた句または文を含む自動コメントの情報および認識されたオブジェクトに関する前記画像の情報を含む収集ページを得て、収集ページを登録する要求を受領した際、ユーザーの収集ページが記憶されることを許容する収集実行部とを有する端末が提供される。
【００１３】
加えて、本発明を実装するための他の方法およびシステムならびに前記方法を実行するためのコンピュータ・プログラムを記録するための他のコンピュータ可読記録媒体がさらに提供される。
【発明の効果】
【００１４】
本発明によれば、入力された画像に含まれるオブジェクトの素性、位置および場所を含む情報が、関心のあるオブジェクトについての自動コメントおよび前記画像についての情報を取得するために使用され、その登録の要求に際して、関心のあるオブジェクトについての自動コメントおよび前記画像についての情報が系統的に記憶される。それにより、ユーザーは、便利かつ迅速に、一つずつ編集して管理するという不便なしに、ユーザーのまわりにある数多くのオブジェクトについてのさまざまな情報を記憶しうる。
【００１５】
加えて、本発明によれば、該当オブジェクトに関して実行されうるミッションについての情報およびミッションの実行に際して提供される報酬についての情報がユーザーに提供され、それによりユーザーは、より積極的にオブジェクトについての収集を実行するよう案内されうる。
【図面の簡単な説明】
【００１６】
【図１】本発明のある実施例に基づく、入力された画像に含まれるオブジェクトの収集をサポートする端末（１００）の構成を概略的に表す図である。
【図２】本発明のある実施例に基づく、あるオブジェクトが入力画像として入力される場合に該当オブジェクトが認識される例を表す図である。
【図３】本発明のある実施例に基づく、自動コメントの情報および認識されたオブジェクトの情報を含む収集ページの例を表す図である。
【図４】本発明のある実施例に基づく、オブジェクトの収集ページが記憶される例を表す図である。
【図５】本発明のある実施例に基づく、各ユーザーが自分の独自の収集ページを管理できるようにするために割り当てられる一意的な仮想スペースを示す図である。
【発明を実施するための形態】
【００１７】
以下の本発明の詳細な記述では、付属の図面が参照される。図面は本発明が実施されうる例として個別的な実施例を示す。これらの実施例は、当業者が本発明を実施できるようにするのに十分な詳細さで記述される。本発明のさまざまな実施例は、異なる実施例ではあっても、必ずしも互いに排反ではないことを理解しておくものとする。たとえば、本稿においてある実施例との関連で記述される特定の特徴、構造または特性は、本発明の精神および範囲から外れることなく、他の実施例において実装されてもよい。加えて、開示される各実施例内での個々の要素の位置または配置は、本発明の精神および範囲から外れることなく修正されてもよいことは理解しておくものとする。したがって、以下の詳細な記述は、限定する意味で解釈されるものではなく、本発明の範囲は、適切に解釈される場合の付属の請求項および請求項が請求する等価物全体の範囲によってのみ定義される。図面においては、同様の参照符号は、各側面を通じて同じまたは同様の機能を指す。
【００１８】
下記は、本発明が属する技術分野における通常の知識を有する者が本発明を容易に実施できるよう、本発明の好ましい実施例を参照することによって本発明を詳細に記述する。
【実施例】
【００１９】
本明細書では、収集は、画像に含まれる、型、属性などを含むオブジェクトの素性についての情報および該当オブジェクトを含む画像を撮影する時間と場所についての情報のうちの少なくとも一つを使うことによって作られる自動コメントならびに該当オブジェクトに対応する画像をデータとして収集し、記憶する一連のプロセスを指すものと定義されうる。たとえば、映画ポスターが入力画像に含まれる場合、該当ポスターを収集のターゲット・オブジェクトとして認識し、該ポスターに対応する映画についての情報（その梗概、監督および主演俳優・女優情報を含む）およびそのポスターを含む画像がデータとして撮影された時間と場所についての情報から、ある言語の文法のもとで正しい組み合わされた文についての情報を収集して記憶する一連のプロセスが、映画ポスターについての収集に該当する。
【００２０】
〈システム全体の構成〉
図１は、本発明のある実施例に基づく、入力された画像に含まれるオブジェクトの収集をサポートする端末（１００）の構成を概略的に表す図である。
【００２１】
図１に示されるように、本発明のある実施例に基づく端末（１００）は、入力画像取得部（１１０）と、オブジェクト認識部（１２０）と、収集実行部（１３０）と、探求管理部（１４０）と、通信部（１５０）と、制御部（１６０）とを含んでいてもよい。本発明のある例によれば、入力画像取得部（１１０）、オブジェクト認識部（１２０）、収集実行部（１３０）、探求管理部（１４０）、通信部（１５０）および制御部（１６０）の少なくともいくつかは、端末（１００）と通信するプログラム・モジュールであってもよい。そのようなプログラム・モジュールは、オペレーティング・システム、アプリケーション・プログラムまたは他のプログラム・モジュールの形で端末（１００）に含まれていてもよく、いくつものよく知られた記憶装置に物理的に記憶されうる。加えて、そのようなプログラム・モジュールは、端末（１００）と通信できるリモート記憶装置に記憶されていてもよい。他方、そのようなプログラム・モジュールは、これに限られないが、ルーチン、サブルーチン、プログラム、オブジェクト、コンポーネントおよび特定の動作を実行するためのデータ構造または本発明に基づく後述する型の特定の抽象データを含む。
【００２２】
まず、本発明のある実施例によれば、入力画像取得部（１１０）は、後述するオブジェクト認識部（１２０）によって実装されるオブジェクト認識の基礎となる入力画像を取得する機能を実行しうる。より具体的には、本発明のある実施例に基づく入力画像取得部（１１０）は、CCDカメラのような多様な画像撮影装置を含んでいて、端末（１００）を携行するユーザーのまわりにある風景を、たとえばプレビュー状態において、リアルタイムで受領する機能を実行してもよい。
【００２３】
次に、あるオブジェクトを含む入力画像が入力画像取得部（１１０）によって取得されたら、本発明のある実施例に基づくオブジェクト認識部（１２０）が、入力画像をある種のデータベースにすでに記憶されているオブジェクト画像（以下「参照オブジェクト画像」）と照合することによって類似性の度合いを計算し、類似性の度合いの事前設定された閾値を超える特定の参照オブジェクト画像の識別子を通じてオブジェクトの素性を認識するために使われるオブジェクト認識技術、撮影されたオブジェクトに含まれる文字、数字および記号のうちからの少なくとも一つを感知することによってオブジェクトの素性を認識する光学式文字認識（OCR）技術および撮影されたオブジェクトに含まれるバーコードからオブジェクトの素性を認識するために使われるバーコード認識技術などのうちの少なくとも一つを使って、ある種のオブジェクトの素性を認識する機能を実行してもよい。
【００２４】
種々の角度およびある距離からの入力画像に含まれるある種のオブジェクトを認識するために使われるあるオブジェクト認識技術として、非特許文献１が参照されうる（この論文の内容全体は本明細書中に組み合わされていると考えねばならない）。この論文は、種々の角度から撮影された同じオブジェクトを正確に認識するためにアフィン不変な領域を検出する方法を記述している。もちろん、本発明に適用可能なオブジェクト認識技術はこの論文で言及されている方法だけに限定されるものではなく、本発明はさまざまな修正例を適用することによって実装されてもよい。画像照合を通じて類似性の度合いを計算することによってオブジェクトの素性を認識するためのオブジェクト認識技術を使うために、オブジェクト認識部（１２０）は、参照オブジェクト画像と対応する識別子が記録されているある種のデータベース（図示せず）と連結されてもよい。
【００２５】
さらに、入力画像に含まれるある種のキャラクタ・ストリングを認識するある光学式文字認識（OCR）技術は、特許文献１の明細書を参照してもよい。その明細書は、その全体において、本稿に組み合わされているものと考えねばならない。その明細書は、入力画像に含まれるキャラクタ・ストリングをなす各候補キャラクタを生成し、生成された各候補キャラクタに対してキャラクタ認識技術を実行するための方法に言及している。本発明に適用可能な光学式文字認識技術は、その明細書に記載される方法に限定されるものではなく、さまざまな修正例が考えられる。
【００２６】
さらに、入力画像に含まれるバーコードを認識する技術は特許文献２の明細書を参照してもよい。その明細書は、その全体において、本稿に組み合わされているものと考えねばならない。その明細書では、バーコードの構造の特性に基づいて接続フィールドの隣接関係を解析することによってバーコード・フィールドを抽出し、抽出されたバーコード・フィールドにおいて黒ピクセルの接続フィールドの幅に従ってバーコードのモジュール幅として使われるべきユニット幅を決定し、バーコード・パターンを入力幅パターンと照合してバーコードを認識する方法が記載されている。本発明に適用可能な光学式文字認識技術は、その明細書に記載される方法に限定されるものではなく、さまざまな修正例が考えられる。
【００２７】
図２は、本発明のある実施例に基づく、あるオブジェクトが入力画像として入力された場合に該当オブジェクトが認識される例を表す図である。
【００２８】
図２を参照するに、『ジョブズのように夢見てゲイツのように実現せよ』という書名の書籍が端末（１００）に入力された画像に含まれるとき、オブジェクト認識部（１２０）は、オブジェクト認識技術、光学式文字認識技術および／またはバーコード認識技術を入力画像に適用することによって、入力された画像に含まれるオブジェクトを、書籍『ジョブズのように夢見てゲイツのように実現せよ』として認識できる。
【００２９】
次に、本発明のある実施例によれば、収集実行部（１３０）が、オブジェクト認識部（１２０）によって取得されたオブジェクトの素性、入力画像が生成された場所および入力画像が生成された時間についての情報からの少なくとも一つを使って、ある言語の文法のもとで適正に集められた句または文（いわゆる「自動コメント」）の情報ならびに認識されたオブジェクトの画像の情報を含む収集ページを得て、該ページの登録要求が受領されたときに該収集ページが記憶されることを許容する機能を実行してもよい。
【００３０】
具体的には、本発明のある実施例に基づく収集実行部（１３０）は、GPS技術、A-GPS技術、WPS技術およびセル・ベースの位置ベース・サービス（LBS:  location  based  service）といった位置決め技術を使って端末（１００）の現在位置を計算し、それにより入力画像が生成された場所についての認識情報を使うことによって、収集ページに含まれるべき自動コメントを完成させることができる。このために、収集実行部（１３０）は特定のGPSモジュール、移動体遠隔通信モジュールなどを含んでいてもよい。
【００３１】
さらに、本発明のある実施例に基づく収集実行部（１３０）は、認識され、収集ページに含められるべきオブジェクトの画像を、入力画像から直接取得してもよいし、あるいは入力画像に含まれるオブジェクトとの画像照合のプロセスを通じて事前設定された類似性の度合いの閾値を超える特定の参照オブジェクト画像から間接的に取得してもよい。収集ページに含められる認識されたオブジェクトの画像は、好ましくは、サムネイルの形であってもよい。
【００３２】
他方、本発明のある実施例に基づく収集実行部（１３０）は、端末（１００）のユーザーに従って管理されうるよう、ユーザーの収集ページが記憶されることを許容してもよい。そのような場合、収集実行部（１３０）は、各ユーザーが自分の独自の収集ページを管理するようサポートするユーザー毎の一意的な仮想スペースを割り当ててもよい。
【００３３】
図３は、本発明のある実施例に基づく、自動コメントについての情報および認識されたオブジェクトについての情報を含む収集ページの例を表す図である。
【００３４】
図３を参照するに、収集実行部（１３０）が、オブジェクト認識部（１２０）によって得られた書籍（３１０）の素性についての認識情報および入力画像が生成された場所（すなわち、「XX書店」）についての認識情報および入力画像が生成された時間（すなわち、「2010年10月20日」）についての認識情報を使って韓国語の文法のもとで適正に集められた自動コメント（３２０）ならびに認識された書籍の画像（３３０）を含む収集ページ（３００）を取得したことが確認できる。図３は、認識された書籍の画像（３３０）が、入力画像（つまり図２の入力画像）から直接取得されたものではなく、参照オブジェクト画像から間接的に取得されたサムネイルの形の画像として表示される場合を例示的に示している。図３の収集ページ（３００）は、自動コメント（３２０）および認識された書籍の画像（３３０）が直接表示されることを示しているが、本発明の実施例はこれに限定されず、上記のように自動コメント（３２０）および認識された書籍の画像（３３０）を直接表示するのではなく、単に自動コメントについての情報または認識された書籍の識別子についての情報を記憶することも考えられる。その後、収集実行部（１３０）は、収集ページ（３００）の登録要求が受領されるときに、ユーザーの収集ページ（３００）を記憶させることを確認されてもよい（図４参照）。
【００３５】
図５は、本発明のある実施例に基づく、各ユーザーが自分独自の収集ページを管理できるようにするよう割り当てられた一意的な仮想スペースを示す図である。
【００３６】
図５を参照することによって、ユーザーが自分独自の収集ページを管理できるよう、収集実行部（１３０）が、ユーザーの収集ページを記憶する際に、「マイ・ルーム」と呼ばれるユーザーの一意的な仮想スペースを割り当てていることが確認できる。
【００３７】
次に、本発明のある実施例によれば、特定のオブジェクトが事前設定された閾値を超えるある回数収集されるとき、探求管理部（１４０）が、オブジェクトに関してユーザーが実行しうるミッション情報およびミッションが実行されたときに提供される報酬情報をユーザーに提供する機能を実行してもよい。より具体的には、ミッション情報は、ユーザーがさらに何回そのオブジェクトを収集しなければならないかについての情報であってもよく、報酬情報は、ユーザーがそのミッションを実行した場合に提供される情報、あるいは、たとえば、そのオブジェクトをサービスするまたは販売する会社が発行するクーポンについての情報に対応していていもよい。たとえば、ユーザーが「ビル６３内の水族館」と呼ばれる場所（オブジェクト）を三回訪れて収集した場合、探求管理部（１４０）が、そのユーザーのための「ビル６３内の水族館があと二回収集されたら、ビル６３内の水族館の入場券に対する50%割引クーポンが発行されます」というミッション情報および報酬情報を提供するというケースが考えられる。
【００３８】
本発明のある実施例によれば、通信部（１５０）は、本発明の端末（１００）が外部装置と通信できるようにする機能を実行してもよい。
【００３９】
最後に、本発明のある実施例によれば、制御部（１６０）は、入力画像取得部（１１０）、オブジェクト認識部（１２０）、収集実行部（１３０）、探求管理部（１４０）および通信部（１５０）の間のデータ流れを制御する機能を実行する。換言すれば、制御部（１６０）は、端末（１００）の構成要素の外部からのデータの流れまたは該構成要素の間でのデータの流れを制御することによって、入力画像取得部（１１０）、オブジェクト認識部（１２０）、収集実行部（１３０）、探求管理部（１４０）および通信部（１５０）におけるそれぞれの特有の機能を実行するよう制御する。
【００４０】
本発明に基づく上記の実施例は、多様なコンピュータ・コンポーネントを通じて実行されてもよく、コンピュータ可読記録媒体に記録されてもよいプログラム・コマンドの形で実装されることができる。コンピュータ可読媒体は、プログラム・コマンド、データ・ファイルおよびデータ構造を単独でまたは組み合わせにおいて含みうる。コンピュータ可読記録媒体に記録されたプログラム・コマンドは特に本発明のために設計および構成されていてもよいし、あるいはコンピュータ・ソフトウェアの分野の当業者に既知であり使用可能なものであってもよい。コンピュータ可読記録媒体の例は、ハードディスク、フロッピー（登録商標）ディスクおよび磁気テープのような磁気媒体、CD-ROMおよびDVDのような光学式媒体、フロプティカル・ディスクのような光磁気媒体およびROM、RAMおよびフラッシュ・メモリのような、プログラム・コマンドを記憶および実行するよう特に構成されたハードウェア・デバイスを含む。プログラム・コマンドは、コンパイラによって作られる機械語コードのみならず、コンピュータによって実行されるインタープリタなどによって使用できる高水準コードをも含む。前記ハードウェア・デバイスは、本発明に基づく動作を実行する一つまたは複数のソフトウェア・モジュールとして機能するよう構成されていてもよく、逆も同じである。
【００４１】
本発明についてこれまで個別的な構成要素および限定された実施例および図面といったある種の詳細を用いて記述してきたが、それらは単に本発明の全体的な理解を促進するために与えられたのであって、本発明は上記の実施例によって限定されるものではない。かかる記述に基づいて、当業者は、さまざまな修正および変更を試みることができる。
【００４２】
したがって、本発明の発想は、説明されている実施例に限定されてはならず、別途記載される特許請求の範囲および該特許請求の範囲に等しいまたはこれと等価な変形を含むあらゆるものが本発明の発想の範疇に属する。
【符号の説明】
【００４３】
１００  端末
１１０  入力画像取得部
１２０  オブジェクト認識部
１３０  収集実行部
１４０  探求管理部
１５０  通信部
１６０  制御部
３００  収集ページ
３１０  認識情報  オブジェクトの素性
３２０  自動コメント
３３０  認識されたオブジェクトについての画像
【図１】
0005642889.tif 000002
【図２】
0005642889.tif 000003
【図３】
0005642889.tif 000004
【図４】
0005642889.tif 000005
【図５】
0005642889.tif 000006